(57)【要約】  【課題】本発明は、カラー文字を含んだ原稿がモノクロ印刷される際に、モノクロ印刷後にカラー文字であった部分が際だって見えやすくなるように、印刷データに簡素化された設定操作で強調表示処理を行うことが可能な画像処理装置、それを備えた画像形成装置およびプログラムを提供することを目的とする。  【解決手段】本実施形態のパソコン１は、カラー文字を含む原稿のモノクロ印刷の選択後に、カラー文字を太くする強調表示が選択されると、文字抽出部１０ａによるその印刷データから文字データの抽出、色情報抽出部１０ｂによる各カラー文字データのＲＧＢ値の抽出、色情報変換部１０ｃによるＲＧＢ値からＹＩＱ表色系のＹ値（輝度値）への変換、文字変換部１０ｄによるＹ値に応じたカラー文字データの文字の太さ変換、置換部１０ｅによる文字の太さ変換が行われた各カラー文字データと元の各カラー文字データ部分との置換並びに新たなモノクロ印刷データの作成が行われる構成とされている。【選択図】      図１
2007067461.tif 000002
【特許請求の範囲】
【請求項１】
印刷データから文字データを抽出する文字抽出部と、該文字抽出部により抽出された各文字データがカラー文字データであるか否かを判定し、カラー文字データであると判定した文字データのＲＧＢ値を抽出する色情報抽出部と、該ＲＧＢ値を所定の表色系における所定の刺激値に変換するための変換式および該所定の刺激値の値に応じて変化する所定の強調表示情報を記憶するメモリ部と、前記色情報抽出部により抽出されたＲＧＢ値を前記所定の変換式に基づいて、前記所定の刺激値に変換する色情報変換部と、前記色情報抽出部により判定された各カラー文字データに対して、前記色情報変換部により得られた前記所定の刺激値の値および前記所定の強調表示情報に基づいて強調変換処理を行う文字変換部と、該文字変換部により強調変換処理された各カラー文字データと前記印刷データにおけるその各カラー文字データに対応する元の各カラー文字データ部分とを置換して、新たなモノクロの印刷データを作成する置換部と、を有して成る画像処理装置。
【請求項２】
前記所定の刺激値は、輝度を表す輝度値、第１の色の強さを表す第１の色強度値および第２の色の強さを表す第２の色強度値のうち少なくとも１つの値であることを特徴とする請求項１に記載の画像処理装置。
【請求項３】
前記所定の強調表示情報は、前記輝度値、前記第１の色強度値および前記第２の色強度値のそれぞれの値に応じて変化するカラー文字データにおける文字の太さ、文字のサイズ、文字に付加されるアンダーラインの太さおよび文字に付加されるオーバースコアの太さ情報のうち少なくとも１つの情報であることを特徴とする請求項２に記載の画像処理装置。
【請求項４】
請求項１〜請求項３のいずれかに記載の画像処理装置を有して成ることを特徴とする画像形成装置。
【請求項５】
印刷データから文字データを抽出する文字抽出処理と、該文字抽出処理において抽出された各文字データがカラー文字データであるか否かを判定し、カラー文字データと判定した文字データのＲＧＢ値を抽出する色情報抽出処理と、メモリ部に記憶された前記ＲＧＢ値を所定の表色系における所定の刺激値に変換するための変換式に基づいて、前記色情報抽出処理において抽出されたＲＧＢ値を前記所定の刺激値に変換する色情報変換処理と、前記色情報変換処理において得られた前記所定の刺激値の値およびメモリ部に記憶された前記所定の刺激値の値に応じて変化する所定の強調表示情報に基づく、前記色情報抽出処理において判定された前記各カラー文字データへの強調変換処理と、該強調変換処理が行われた各カラー文字データと前記印刷データにおけるその各カラー文字データに対応する元の各カラー文字データ部分とを置換して、新たなモノクロの印刷データを作成する置換処理と、を中央演算処理装置に実行させることを特徴とするプログラム。
【発明の詳細な説明】
【技術分野】
【０００１】
本発明は、画像処理装置、それを備えた画像形成装置およびプログラムに関するものであり、特にカラー文字をモノクロで印刷する際の強調表示技術に関するものである。
【背景技術】
【０００２】
従来より、プリンタドライバの文字のラスタライズ処理を行うカラー文字データの出力方法において、文字データ部分の取得処理を行い、取得した文字データがカラー文字であるか否かを判定し、取得したカラー文字の他の属性への変更が指定されているか否かを判定し、取得したカラー文字データが他の属性へ変更すべきカラーであるか否かを判定し、前記判定のすべてが肯定の場合、他の属性への変更処理を行い、変更された属性での出力のための文字形成処理を行うカラー文字データの出力処理方法が開示・提案されている（例えば、特許文献１を参照）。
【０００３】
また、原稿を読み取るカラーイメージスキャナと、読み取った原稿の領域を判定し文字領域を分離する領域分離部と、文字領域内に存在する文字がカラー文字なのかモノクロ文字なのかの色判定を行う色判定部と、色判定部によってカラーであると判定されたカラー文字に強調処理を施す強調処理部と、強調処理部によってカラー文字に強調処理が施された原稿をモノクロ画像として印字するプリンタとを備えた画像形成装置およびその方法が開示・提案されている（例えば、特許文献２を参照）。
【特許文献１】特開平８−３２８７８８号公報
【特許文献２】特開２００３−２１９１８９号公報
【発明の開示】
【発明が解決しようとする課題】
【０００４】
確かに、特許文献１に開示されたカラー文字データの出力処理方法、および特許文献２に開示された画像形成装置およびその方法であれば、カラー文字がモノクロで印刷される際に、原稿上でカラー表示されているカラー文字部分が強調表示（例えば、アンダーライン、イタリック体、ボールド体、矩形マーク等）されてモノクロ印刷されるため、その文字部分を際ださせることができる。
【０００５】
しかしながら、特許文献１に開示されたカラー文字データの出力処理方法、および特許文献２に開示された画像形成装置およびその方法は、ＲＧＢ表色系が用いられて表現される多数のカラー文字の色とその多数のカラー文字の色に対応する強調表示内容の組み合わせが多くなってしまい、それらを対応付ける変換表が複雑になってしまう。また、その多数のカラー文字の色と強調表示内容をユーザが設定する必要があり、その設定操作に時間がかかってしまうため、その設定操作が煩わしかった。
【０００６】
本発明は、上記の問題点に鑑み、カラー文字を含んだ原稿がモノクロ印刷される際に、モノクロ印刷後にカラー文字であった部分が際だって見えやすくなるように、印刷データに簡素化された設定操作で強調表示処理を行うことが可能な画像処理装置、それを備えた画像形成装置およびプログラムを提供することを目的とする。
【課題を解決するための手段】
【０００７】
上記目的を達成するために、本発明に係る画像処理装置は、印刷データから文字データを抽出する文字抽出部と、該文字抽出部により抽出された各文字データがカラー文字データであるか否かを判定し、カラー文字データであると判定した文字データのＲＧＢ値を抽出する色情報抽出部と、該ＲＧＢ値を所定の表色系における所定の刺激値に変換するための変換式および該所定の刺激値の値に応じて変化する所定の強調表示情報を記憶するメモリ部と、前記色情報抽出部により抽出されたＲＧＢ値を前記所定の変換式に基づいて、前記所定の刺激値に変換する色情報変換部と、前記色情報抽出部により判定された各カラー文字データに対して、前記色情報変換部により得られた前記所定の刺激値の値および前記所定の強調表示情報に基づいて強調変換処理を行う文字変換部と、該文字変換部により強調変換処理された各カラー文字データと前記印刷データにおけるその各カラー文字データに対応する元の各カラー文字データ部分とを置換して、新たなモノクロの印刷データを作成する置換部と、を有して成る構成とされている。このような構成とすることにより、新たなモノクロの印刷データが画像形成装置に送信されて印刷された際に、原稿上でカラー文字であった文字が強調表示されてモノクロ印刷されるため、ユーザは、カラー文字であったモノクロ文字が見やすくなるとともに、強調表示されたモノクロ文字がカラー文字であったことを簡単に認識することが可能となる。また、ＲＧＢ値が所定の表色系における刺激値に変換されるため、簡素化された設定操作でカラー文字データに対して強調表示処理を行うことが可能となる。
【０００８】
上記構成から成る画像処理装置における前記所定の刺激値は、輝度を表す輝度値、第１の色の強さを表す第１色強度値および第２の色の強さを表す第２色強度値のうち少なくとも１つの値である構成とされている。このような構成とすることにより、ＲＧＢ値が所定の表色系におけるこれらの刺激値に変換されるため、簡素化された設定操作でカラー文字データに対して強調表示処理を行うことが可能となる。
【０００９】
上記構成から成る画像処理装置における前記所定の強調表示情報は、前記輝度値、前記第１の色強度値および前記第２の色強度値のそれぞれの値に応じて変化するカラー文字データにおける文字の太さ、文字のサイズ、文字に付加されるアンダーラインの太さおよび文字に付加されるオーバースコアの太さ情報のうち少なくとも１つの情報である構成とされている。このような構成とすることにより、新たな印刷データが画像形成装置に送信されて印刷された際に、原稿上でカラー文字であった文字が強調表示されてモノクロ印刷されるため、ユーザは、カラー文字であったモノクロ文字が見やすくなるとともに、強調表示されたモノクロ文字がカラー文字であったことを簡単に認識することが可能となる。
【００１０】
本発明に係る画像形成装置は、上記構成から成る画像処理装置のいずれかを有して成る構成とされている。このような構成とすることにより、原稿上でカラー文字であった文字が強調表示されてモノクロ印刷されるため、ユーザは、カラー文字であったモノクロ文字が見やすくなるとともに、強調表示されたモノクロ文字がカラー文字であったことを簡単に認識することが可能となる。また、ＲＧＢ値が所定の表色系における刺激値に変換されるため、簡素化された設定操作でカラー文字データに対して強調表示処理を行うことが可能となる。
【００１１】
本発明に係るプログラムは、印刷データから文字データを抽出する文字抽出処理と、該文字抽出処理において抽出された各文字データがカラー文字データであるか否かを判定し、カラー文字データと判定した文字データのＲＧＢ値を抽出する色情報抽出処理と、メモリ部に記憶された前記ＲＧＢ値を所定の表色系における所定の刺激値に変換するための変換式に基づいて、前記色情報抽出処理において抽出されたＲＧＢ値を前記所定の刺激値に変換する色情報変換処理と、前記色情報変換処理において得られた前記所定の刺激値の値およびメモリ部に記憶された前記所定の刺激値の値に応じて変化する所定の強調表示情報に基づく、前記色情報抽出処理において判定された前記各カラー文字データへの強調変換処理と、該強調変換処理が行われた各カラー文字データと前記印刷データにおけるその各カラー文字データに対応する元の各カラー文字データ部分とを置換して、新たなモノクロの印刷データを作成する置換処理と、を中央演算処理装置に実行させる構成とされている。このような構成とすることにより、新たな印刷データが画像形成装置で印刷された際に、原稿上でカラー文字であった文字が強調表示されてモノクロ印刷されるため、ユーザは、カラー文字であったモノクロ文字が見やすくなるとともに、強調表示されたモノクロ文字がカラー文字であったことを簡単に認識することが可能となる。また、ＲＧＢ値が所定の表色系における刺激値に変換されるため、簡素化された設定操作でカラー文字データに対して強調表示処理を行うことが可能となる。
【発明の効果】
【００１２】
上記したように、本発明に係る画像処理装置、それを備えた画像形成装置およびプログラムであれば、カラー文字を含んだ原稿がモノクロ印刷される際に、モノクロ印刷後にカラー文字であった部分が見えやすく強調されるように、印刷データに簡素化された設定操作でカラー文字データに対して強調表示処理を行うことが可能となる。
【発明を実施するための最良の形態】
【００１３】
以下では、本発明をパーソナルコンピュータ[Personal Computer]（以下、パソコンと呼ぶ）に適用した場合を例に挙げて説明を行う。図１は本発明に係るパソコンおよびそのパソコンに接続された画像形成装置の要部構成を示すブロック図である。図１に示すように、本実施形態のパソコン１は、装置全体の動作を制御する中央演算処理装置１０（以下、ＣＰＵ［Central Processing Unit］１０と呼ぶ）と、操作入力手段であるキーボート、マウス、テンキーおよびタッチパネルなどから成る入力部１２と、画像が表示されるディスプレイなどから成る表示部１１と、各種制御プログラム等が格納されたＲＯＭ［Read Only Memory］、ワーク領域として用いられるＲＡＭ［Random Access Memory］、および各種プログラムやデータを記憶するためのハードディスクから成るメモリ部１３と、外部装置との通信の接続を確立するためにネットワーク３０に接続されたインタフェース部１４と、を有して成る。なお、本実施形態のパソコン１は、画像処理装置に相当するものである。
【００１４】
また、パソコン１は、後述の画像形成装置２とネットワーク３０を介してデータおよび印刷データ等の送受信が可能である。また、ネットワーク３０はインターネット（不図示）に接続されており、パソコン１は、インターネット（不図示）に接続されたサーバ（不図示）等からホームページ画像をダウンロードして表示部１１に表示することが可能である。
【００１５】
ＣＰＵ１０は、印刷データから文字データを抽出する文字抽出部１０ａと、文字抽出部１０ａにより抽出された各文字データに対して、ＲＧＢ値で示されたカラーコードなどから文字データがカラー文字データであるか否かを判定し、カラー文字データであれば文字データの色情報となるＲＧＢ値を抽出する色情報抽出部１０ｂと、色情報抽出部１０ｂにより抽出されたＲＧＢ値を後述のＹＩＱ表色系における刺激値のＹ値（輝度）、Ｉ値（オレンジ−シアンの色の強さ、）あるいはＱ値（緑−マゼンダの色の強さ）に変換する色情報変換部１０ｃと、色情報変換部１０ｃによってＲＧＢ値が変換されて得られた刺激値のＹ値、Ｉ値およびＱ値に応じて、それぞれ色情報抽出部１０ｂにより判定されたカラー文字データに対して、メモリ部１３に記憶された後述する強調表示情報に基づいて、文字の太さを変化させる強調変換処理、アンダーラインの太さを変化させて文字に付加する強調変換処理および文字を拡大させる強調変換処理を行う文字変換部１０ｄと、文字変換部１０ｄに変換されたカラー文字データと印刷データにおけるその各カラー文字データに対応する元の各カラー文字データ部分を置換して、新たなモノクロの印刷データを作成する置換部１０ｅと、を有して成る。
【００１６】
また、ＣＰＵ１０は、装置全体の動作を制御するほか、後ほど詳細に説明するカラー文字データへの強調表示処理を行う。なお、説明の理解を容易とするため、図１では文字抽出部１０ａ、色情報抽出部１０ｂ、色情報変換部１０ｃ、文字変換部１０ｄおよび置換部１０ｅを独立したブロックとして表したが、文字抽出部１０ａ、色情報抽出部１０ｂ、色情報変換部１０ｃ、文字変換部１０ｄおよび置換部１０ｅにおける処理は、ＣＰＵ１０でソフト的に実行されるものである。
【００１７】
ここで、色情報変換部１０ｂによるＲＧＢ表色系のＲＧＢ値からＹＩＱ表色系の刺激値であるＹ値（輝度）、Ｉ値（オレンジ−シアンの色の強さ）およびＱ値（緑−マゼンダの色の強さ）への変換について以下に説明する。ＲＧＢ値からＹ値、Ｉ値およびＱ値への変換式は以下の通りである。
【数１】
2007067461.tif 000003
色情報変換部１０ｂによるＲＧＢ値からＹＩＱ値への変換は、この変換式に基づいて行われる。なお、ＹＩＱ表色系は、ＰＡＬ方式のカラーテレビ等で用いられている表色系である。例えば、文字データが赤の時、（Ｒ，Ｇ，Ｂ）＝（２５５，０，０）であれば、（Ｙ，Ｉ，Ｑ）＝（７６．２４５，１５９．９８，５３．８０５）になる。
【００１８】
メモリ部１３には、前述の変換式（１）〜（３）のほかに、カラー文字データを含んだ印刷データがモノクロ印刷される際に、後述する文字変換部１０ｄによるカラー文字データの強調変換処理に用いられる以下のような強調表示情報が記憶されている。メモリ部１３には、Ｙ値の最小値（０）から最大値（２６２．６５）までが９等分に分けられた各段階に対して、９等分されたそのＹ値がＹ値の最小値側から１段階ごと大きくなるに従って、文字の太さが１段階ごと９段階まで太くなる強調表示情報（以下、文字の太さ表示情報と呼ぶ）が記憶されている。また、メモリ部１３には、Ｉ値の最小値（０）から最大値（１５１．９８）までが９等分に分けられた各段階に対して、９等分されたそのＩ値がＩ値の最小値側から１段階ごと大きくなるに従って、アンダーラインの太さが１段階ごと９段階まで太くなる強調表示情報（以下、アンダーライン表示情報と呼ぶ）が記憶されている。また、メモリ部１３には、Ｑ値の最小値（０）から最大値（２５５）までが９等分に分けられた各段階に対して、９等分されたＱ値の値がＱ値の最小値側から１段階ごと大きくなるに従って、文字のサイズが１段階ごと９段階まで大きくなる強調表示情報（以下、文字の拡大表示情報と呼ぶ）が記憶されている。なお、文字の太さ表示情報、アンダーライン表示情報および文字の拡大表示情報が、９段階に分けられているが、特に９段階に分けられることに限定される必要はない。
【００１９】
また、ネットワーク３０に接続された画像形成装置２は、装置全体の動作を制御するＣＰＵ２０と、操作手段（テンキーやタッチパネルなど）と表示手段（液晶ディスプレイなど）から成る操作表示部２１と、用紙の搬送を行う用紙搬送部２２、画像データに基づいて用紙へモノクロのトナー像の形成を行う画像形成部２３と、画像形成部２３で得られたトナー像を用紙に定着させる定着部２４と、各種制御プログラム等が格納されたＲＯＭ［Read Only Memory］やワーク領域として用いられるＲＡＭ［Random Access Memory］から成るメモリ部２５と、外部装置との通信接続を確立するためにネットワーク３０に接続されたインタフェース部２６と、を有して成る。なお、画像形成装置２は、モノクロ機であるが、モノクロ印刷可能なカラー機であってもよい。また、画像形成装置２は、ネットワーク３０を介してパソコン１とデータおよび印刷データ等の送受信が可能である。
【００２０】
次に、上記構成から成る画像形成装置２における画像形成動作（印刷動作）について説明する。本実施形態の画像形成装置２における画像形成動作では、パソコン１から送信された印刷データをインタフェース部２６が受信すると、ＣＰＵ２０によりその印刷データが一旦メモリ部２５に格納された後、再び読み出されて印刷データが画像データに変換されて画像形成部２３に送出される。続いて、画像形成部２３で入力された画像データに基づく用紙への画像形成処理が行われた後、定着部２４で用紙上に形成された画像の定着処理が行われて用紙が装置外へ排出される。
【００２１】
なお、本実施形態のパソコン１は、カラー文字データが含まれた印刷データがモノクロ印刷される際に、画像形成装置２への印刷データの送信に先立って行われるカラー文字データの強調表示処理に特徴を有している。
【００２２】
そこで、以下では、本実施形態のパソコン１におけるカラー文字データが含まれた印刷データがモノクロ印刷される際に、画像形成装置２への印刷データの送信に先立って行われるカラー文字データの強調表示処理について図を参照して説明を行う。図２は、本実施形態のパソコン１における強調表示処理を説明するためのフローチャートである。
【００２３】
本実施形態のパソコン１では、ステップＳ２−１で、表示部１１に表示された所定のソフトウェア上の原稿に対して、ユーザにより入力部１２が用いられて表示部１１に表示された画面からその原稿のモノクロ印刷が選択されると、画像形成装置２に対応するプリンタドライバに従ってＣＰＵ１０により、画像形成装置２で印刷するための印刷データが作成される。そして、画像形成装置２への印刷データの送信に先立って、ＣＰＵ１０により、表示部１１にカラー文字の強調表示を行うか否か選択する旨が表示される。ユーザにより入力部１２が用いられてカラー文字の強調表示を行う旨が選択され、入力部１２から強調表示を行う旨の信号がＣＰＵ１０に入力される場合には（Ｓ２−１ＹＥＳ）、ステップＳ２−２で、ＣＰＵ１０により表示部１１に原稿の各カラー文字を太くするか否かを選択する旨が表示される。なお、ステップＳ２−１における表示部１１に表示された所定のソフトウェア上の原稿とは、メモリ部１１に記憶されたソフトウェアが用いられて作成された原稿やインターネット（不図示）からダウンロードされ、表示部１１に表示されたホームページ画像等に相当する。
【００２４】
そして、ユーザにより入力部１２が用いられて原稿の各カラー文字を太くする旨が選択され、入力部１２から各カラー文字データの文字を太くする旨の信号がＣＰＵ１０に入力される場合には（Ｓ２−２ＹＥＳ）、ステップＳ２−３に進む。なお、ステップＳ２−１において、ユーザにより入力部１２が用いられてカラー文字の強調表示を行わない旨が選択され、入力部１２から強調表示を行わない旨の信号がＣＰＵ１０に入力される場合には（Ｓ２−１ＮＯ）、後述するステップＳ２−１６に進む。
【００２５】
続いて、ステップＳ２−３で、文字抽出部１０ａにより印刷データから全ての文字データが抽出される。そして、文字抽出部１０ａにより抽出された全ての文字データの複製が作成され、一旦メモリ部１３に記憶される。なお、文字データは、フォント情報、文字のサイズ情報、文字の太さ情報、色情報であるＲＧＢ値等を含むものである。
【００２６】
続いて、ステップＳ２−４で、文字抽出部１０ａにより抽出され、メモリ部１３に記憶された複製の各文字データに対して、色情報抽出部１０ｂにより文字データがカラー文字データであるか否かの判定が行われる。そして、色情報抽出部１０ｂにより、カラー文字データである文字データに対して、ＲＧＢ値が抽出される。このとき、色情報抽出部１０ｂにより各文字データに含まれるＲＧＢ値が調べられることで、文字データがカラー文字データであるか否か判定が行われる。
【００２７】
続いて、ステップＳ２−５で、色情報変換部１０ｃにより、色情報抽出部１０ｂに抽出された各カラー文字データのＲＧＢ値およびメモリ部１３に記憶された変換式（１）に基づいて、各カラー文字データのＲＧＢ値がＹ値に変換される。
【００２８】
続いて、ステップＳ２−６で、メモリ部１３に記憶されたＹ値に対応した文字の太さ表示情報に基づいて文字変換部１０ｄにより、色情報変換部１０ｃによってＲＧＢ値から変換されたＹ値に応じて、各カラー文字データの文字の太さが強調変換処理される。そして、文字変換部１０ｄにより、その強調変換処理された各カラー文字データが一端、メモリ部１３に記憶される。そして、置換部１０ｅにより、メモリ部１３に記憶されている文字の太さが強調変換処理された各カラー文字データと印刷データにおけるその各カラー文字データに対応する元の各カラー文字データ部分とが置換され、カラー文字データ部分の文字の太さが強調変換処理された新たなモノクロの印刷データが作成される。このとき、置換部１０ｅにより作成された新たなモノクロの印字データにおける各文字データのＲＧＢ値は、元のＲＧＢ値からモノクロに対応したＲＧＢ値に変換される。
【００２９】
また、ステップＳ２−２で、ユーザにより入力部１２が用いられてカラー文字を太くしない旨が選択され、入力部１２からカラー文字データの文字を太くしない旨の信号がＣＰＵ１０に入力される場合には（Ｓ２−２ＮＯ）、更に、ステップＳ２−７で、ＣＰＵ１０により表示部１１にカラー文字にアンダーラインを付加するか否かを選択する旨が表示される。そして、ユーザにより入力部１２が用いられてカラー文字にアンダーラインを付加する旨が選択され、入力部１２からカラー文字にアンダーラインを付加する旨の信号がＣＰＵ１０に入力される場合には（Ｓ２−７ＹＥＳ）、ステップＳ２−８に進む。
【００３０】
続いて、ステップＳ２−８で、文字抽出部１０ａにより印刷データから全ての文字データが抽出される。そして、文字抽出部１０ａにより抽出された全ての文字データの複製が作成され、一旦メモリ部１３に記憶される。なお、文字データは、フォント情報、文字のサイズ情報、文字の太さ情報、色情報であるＲＧＢ値等を含むものである。
【００３１】
続いて、ステップＳ２−９で、文字抽出部１０ａにより抽出され、メモリ部１３に記憶された複製の各文字データに対して、色情報抽出部１０ｂにより文字データがカラー文字データであるか否か判定が行われる。そして、色情報抽出部１０ｂにより、カラー文字データである文字データに対して、ＲＧＢ値が抽出される。このとき、色情報抽出部１０ｂにより文字データに含まれるＲＧＢ値が調べられることで、文字データがカラー文字データであるか否か判定が行われる。
【００３２】
続いて、ステップＳ２−１０で、色情報変換部１０ｃにより、色情報抽出部１０ｂによって抽出された各カラー文字データのＲＧＢ値およびメモリ部１３に記憶された変換式（２）に基づいて、各カラー文字データのＲＧＢ値がＩ値に変換される。
【００３３】
続いて、ステップＳ２−１１で、メモリ部１３に記憶されたＩ値に対応したアンダーライン表示情報に基づいて、文字変換部１０ｄにより、色情報変換部１０ｃによってＲＧＢ値から変換された各カラー文字データのＩ値に基づいて、各カラー文字データの文字にＩ値に応じて太さの異なるアンダーラインが付加されたカラー文字データに強調変換処理される。そして、文字変換部１０ｄにより、その強調変換処理された各カラー文字データが一端、メモリ部１３に記憶される。そして、置換部１０ｅにより、メモリ部１３に一端記憶されているＩ値に応じて太さの異なるアンダーラインが付加された各カラー文字データと印刷データにおけるその各カラー文字データに対応する元の各カラー文字データ部分とが置換され、Ｉ値に応じて太さの異なるアンダーラインが各カラー文字データに付加されて変換された新たなモノクロの印刷データが作成される。このとき、置換部１０ｅにより作成された新たなモノクロの印字データにおける各文字データのＲＧＢ値は、元のＲＧＢ値からモノクロに対応したＲＧＢ値に変換される。
【００３４】
また、ステップＳ２−７で、ユーザにより入力部１２が用いられてカラー文字にアンダーラインを付加しない旨が選択され、入力部１２からカラー文字データにアンダーラインを付加しない旨の信号がＣＰＵ１０に入力される場合には（Ｓ２−７ＮＯ）、ステップＳ２−１２に進む。
【００３５】
続いて、ステップＳ２−１２で、文字抽出部１０ａにより印刷データから文字データが抽出される。そして、文字抽出部１０ａにより抽出された全ての文字データの複製が作成され、一旦メモリ部１３に記憶される。なお、文字データは、フォント情報、文字のサイズ情報、文字の太さ情報、色情報であるＲＧＢ値等を含むものである。
【００３６】
続いて、ステップＳ２−１３で、文字抽出部１０ａにより抽出され、メモリ部１３に記憶された複製の各文字データに対して、色情報抽出部１０ｂにより文字データがカラー文字データであるか否かの判定が行われる。色情報抽出部１０ｂによりカラー文字データである文字データに対しては、色情報であるＲＧＢ値が抽出される。このとき、色情報抽出部１０ｂにより文字データに含まれるＲＧＢ値が調べられることで、文字データがカラー文字データであるか否かの判定が行われる。
【００３７】
続いて、ステップＳ２−１４で、色情報変換部１０ｃにより、色情報抽出部１０ｂに抽出された各カラー文字データのＲＧＢ値およびメモリ部１３に記憶された変換式（３）に基づいて、各カラー文字データのＲＧＢ値がＱ値に変換される。
【００３８】
続いて、ステップＳ２−１５で、メモリ部１３に記憶されたＱ値に応じた文字の拡大表示情報に基づいて、文字変換部１０ｄにより、色情報変換部１０ｃによってＲＧＢ値から変換された各カラー文字データのＱ値に基づいて、各カラー文字データがＱ値に応じて文字のサイズが拡大されたカラー文字データに強調変換処理される。そして、文字変換部１０ｄにより、その強調変換処理された各カラー文字データが一端メモリ部１３に記憶される。そして、置換部１０ｅにより、メモリ部１３に一端記憶されているＱ値に応じて文字のサイズが拡大された各カラー文字データと印刷データにおけるその各カラー文字データに対応する元の各カラー文字データ部分とが置換され、Ｑ値に応じてカラー文字データの文字のサイズが拡大されて変換された印刷データが作成される。このとき、置換部１０ｅにより作成された新たなモノクロの印字データにおける各文字データのＲＧＢ値は、元のＲＧＢ値からモノクロに対応したＲＧＢ値に変換される。
【００３９】
続いて、ステップＳ２−１６で、ＣＰＵ１０により、インタフェース部１４を介してモノクロの印刷データが画像形成装置２に向けて送信される。
【００４０】
その後、画像形成装置２では、インタフェース部２６によりその印刷データが受信されると、ＣＰＵ２０の制御により、前述したように、印刷データに基づいて用紙に印刷が行われる。
【００４１】
以下に、前述の新たなモノクロの印刷データに基づく画像形成装置２による印刷結果を説明する。図３は、新たなモノクロの印刷データに基づく画像形成装置２による印刷結果の一例である。図３（ａ）は、Ｙ値に応じてカラー文字データの文字が太く変換されたモノクロの印刷データに基づく画像形成装置２による印刷結果の一例、図３（ｂ）は、Ｉ値に応じてカラー文字データに太さの異なるアンダーラインが付加されるように変換されたモノクロの印刷データに基づく画像形成装置２による印刷結果の一例、図３（ａ）は、Ｑ値に応じてカラー文字データの文字のサイズが拡大されるように変換されたモノクロの印刷データに基づく画像形成装置２による印刷結果の一例である。なお、図３の括弧内の文字は、強調表示処理される前にカラー文字であった文字である。
【００４２】
図３（ａ）〜（ｃ）に示すように、Ｙ値、Ｉ値およびＱ値に応じて、それぞれカラー文字が太く、カラー文字に太さの異なるアンダーラインが付加およびカラー文字が拡大されて変換された印刷データに基づいて画像形成装置２によりモノクロ印刷される。従って、本実施形態のパソコン１であれば、新たなモノクロの印刷データが画像形成装置２に送信されて印刷された際に、原稿上でカラー文字であった文字が強調表示されてモノクロ印刷されるため、ユーザは、カラー文字であったモノクロ文字が見やすくなるとともに、強調表示されたモノクロ文字がカラー文字であったことを簡単に認識することが可能となる。また、ＲＧＢ値が所定の表色系における刺激値に変換されるため、簡素化された設定操作でカラー文字データに対して強調表示処理を行うことが可能となる。また、本発明では、ＹＩＱ表色系の変換式を利用して強調表示を行うため、ユーザ毎に印刷の強調表示の内容が異なることがなくなり、元の原稿の大まかな文字色を想像することが可能である。
【００４３】
なお、本実施形態のパソコン１のメモリ部１３に記憶された文字の太さ表示情報、アンダーライン表示情報および文字の拡大表示情報の代わりに、Ｙ値、Ｉ値、Ｑ値にそれぞれに対応して変化する関数が用いられて、色情報変換部１０ｃによりＲＧＢ値がＹ値、Ｉ値、Ｑ値に変換されてもよい。これにより、上記と同様に、新たなモノクロの印刷データが画像形成装置２に送信されて印刷された際に、原稿上でカラー文字であった文字が強調表示されてモノクロ印刷されるため、ユーザは、カラー文字であったモノクロ文字が見やすくなるとともに、強調表示されたモノクロ文字がカラー文字であったことを簡単に認識することが可能となる。
【００４４】
また、本実施形態のパソコン１では、ステップＳ２−２、Ｓ２−７で強調表示処理内容を選択可能な構成であったが、メモリ部１３に少なくとも１つのＲＧＢ値からＹＩＱ表色系の刺激値に変換する変換式が記憶されて、少なくとも１つの強調表示処理内容を選択可能な構成とされてもよい。このような構成おいても、上記と同様な効果を得ることが可能である。
【００４５】
なお、上記の実施形態のパソコン１では、文字変換部１０ｄより原稿のモノクロ印刷が選択された際にＹ値、Ｉ値およびＱ値に対応して、それぞれカラー文字データの文字が太く、カラー文字データの文字に太さの異なるアンダーラインの付加およびカラー文字データの文字のサイズが拡大される強調変換処理が行われる構成であったが、Ｙ値、Ｉ値およびＱ値に対応した強調変換処理は、これらの組み合わせに限定される必要はなく、任意に組み合わせが変更されてもよい。また、カラー文字データの強調表示処理時に、原稿のモノクロ印刷が選択された際にＹ値、Ｉ値およびＱ値のそれぞれに応じた文字のフォント変換、文字の斜体量を変更する変換、文字へのオーバースコアの付加並びに太さ変換等が行われてもよい。また、本実施形態のパソコン１では、原稿のモノクロ印刷が選択された際に、文字変換部１０ｄにより、Ｙ値、Ｉ値およびＱ値のいずれかに応じて、１つの強調表示情報に基づくカラー文字データの強調変換処理が行われる構成であったが、これに限定される必要はなく、複数の強調表示情報に基づくカラー文字データの強調変換処理が行われてもよい。
【００４６】
また、上記の実施形態のパソコン１では、色情報変換部１０ｃによりＲＧＢ値が、ＹＩＱ表色系が用いられてフローに応じてＹ値、Ｉ値またはＱ値に変換される構成であったが、特にＹＩＱ表色系に限定される必要はなく、ＲＧＢ値を変換することが可能な表色系が用いられてもよい。例えば、国際照明委員会（ＣＩＥ）が勧告したＸＹＺ表色系を用いても良い。ＸＹＺ表色系は人間の視覚特性を考慮して作られた心理物理的な表色系で次の式で表される。
【数２】
2007067461.tif 000004
【００４７】
また、上記の実施形態では、カラー文字データの強調表示処理についてパソコン１を例に挙げて説明を行ったが、これに限定されるものではなく、パソコン１のカラー文字データの強調表示処理機能がファクシミリ、プリンタ、複写機などの画像形成装置に搭載されていてもよい。すなわち、そのカラー文字データの強調表示処理機能を有した画像処理装置が画像形成装置に搭載されてもよい。このような構成によっても上記と同様な効果を得ることが可能となる。
【００４８】
また、本発明の構成は、上記実施形態のほか、発明の主旨を逸脱しない範囲で種々の変更を加えることが可能である。
【産業上の利用可能性】
【００４９】
本発明は、パソコンなどの画像処理装置およびそれを備えたプリンタ、ファクシミリ、複写機などの画像形成装置全般に広く適用が可能であり、カラー文字がモノクロ印刷される際のカラー文字の強調表示に対して有用な技術である。
【図面の簡単な説明】
【００５０】
【図１】は、本発明に係るパソコンおよびそのパソコンに接続された画像形成装置の要部構成を示すブロック図である。
【図２】は、図２は、本実施形態のパソコン１における強調表示処理を説明するためのフローチャートである。
【図３】は、新たなモノクロの印刷データに基づく画像形成装置２による印刷結果の一例である。
【符号の説明】
【００５１】
１    パーソナルコンピュータ（パソコン）
２    画像形成装置
１０、２０    中央演算処理装置（ＣＰＵ）
１０ａ    文字抽出部
１０ｂ    色情報抽出部
１０ｃ    色情報変換部
１０ｄ    文字変換部
１０ｅ    置換部
１１    表示部
１２    入力部
１３、２５    メモリ部
１４、２６    インタフェース部
２１    操作表示部
２２    用紙搬送部
２３    画像形成部
２４    定着部
３０    ネットワーク
【図１】
2007067461.tif 000005
【図２】
2007067461.tif 000006
【図３】
2007067461.tif 000007